(57)【特許請求の範囲】
【請求項１】
トイレ室の後壁と便器本体との間に配設されるトイレキャビネットであって、
トイレ室の左右いずれか一方の側壁に対向して収納空間を形成する側面板と、
前記側面板に着脱可能に支持された状態で設けられる棚と、を備え、
前記棚の前記側面板に対する支持側の端部寄りの部位には、前記棚を前記側面板に支持するための棚支持部を構成する支持構造部が、前記支持側の端部からの距離を互いに異ならせて複数設けられている、
ことを特徴とするトイレキャビネット。
【請求項２】
前記棚は、前記棚支持部を構成する支持部材と、前記支持部材に設けられる棚板と、を有し、
前記棚板の前記支持部材側の端部寄りの部位に、前記支持構造部として、前記棚板を前記支持部材に固定するための固定構造部が、前記棚板の前記支持部材側の端からの距離を互いに異ならせて複数設けられている、
ことを特徴とする請求項１に記載のトイレキャビネット。
【請求項３】
前記支持部材は、磁力で前記側面板に対して取り付けられる、
ことを特徴とする請求項２に記載のトイレキャビネット。
【請求項４】
前記棚板は、前記固定構造部によって前記支持部材に着脱自在に固定される、
ことを特徴とする請求項２又は請求項３に記載のトイレキャビネット。
【請求項５】
前記支持部材は、前記棚板の基端部を載置する台部と、上方に突出する凸部と、を有し、
前記棚板には、前記凸部と凹凸係合する凹部が前記固定構造部として複数設けられており、
前記棚は、前記凸部と前記凹部を凹凸係合させつつ前記棚板を前記台部に載置して前記棚板を前記支持部材に固定する、
ことを特徴とする請求項２〜請求項４の何れか１項に記載のトイレキャビネット。
【請求項６】
前記固定構造部は、前記棚板の前記支持部材側の端から所定ピッチで複数設けられており、
前記支持部材及び前記棚板は、前記支持部材に前記棚板を固定した状態で前記台部の先端が前記支持部材と前記棚板の凹凸係合に用いる凹部を超えるように構成されている、
ことを特徴とする請求項５に記載のトイレキャビネット。
【請求項７】
前記支持部材は、前記棚板の基端部側の端面を覆うように設けられている、
ことを特徴とする請求項２又は請求項４に記載のトイレキャビネット。
【請求項８】
前記支持部材は、前記棚板に対して嵌め殺し状態で固定されている、
ことを特徴とする請求項２に記載のトイレキャビネット。
【発明の詳細な説明】
【技術分野】
【０００１】
本発明は、トイレ室において大便器後方に配設されるトイレキャビネットに関する。
【背景技術】
【０００２】
大便器を配設したトイレ室においては、大便器と後壁との間の後方スペースにキャビネットを設ける場合がある。キャビネットは、便器本体の後部上面に載置される洗浄水タンクや壁掛式の大便器を支持するフレーム等の隠蔽に用いられる場合が多いが、洗浄水タンクの無いタイプの大便器の後方スペースにキャビネットが設けられる場合もある。このようなキャビネットは、洗浄水タンクの有無に関わらず各種トイレ用品の収納空間として活用されることが多い。
【０００３】
特許文献１には、トイレ室の後方スペースに設けたキャビネットを収容空間として利用する技術が開示されている。特許文献１に記載のキャビネットは、キャビネットの正面側において、大便器の左後方及び右後方にそれぞれ開閉扉を設けてある。この開閉扉は、便器本体と干渉しにくくするべく、正面視で便器本体の幅員と重複しない範囲に設けられている。
【０００４】
特許文献１に記載のキャビネットでは、キャビネットの収納空間に棚を設けて収納空間内の縦方向の空間活用度を向上させてあり、キャビネット内部において洗浄水タンクの側面を覆う位置に設けられた側面板に対して着脱自在に取り付け可能な構造の棚板を採用している。具体的には、棚板の側面板に対面する側にフック構造を設けてあり、側面板の複数高さに設けられた係止孔のいずれかにフックを差し込み固定することで、棚板を所望の高さ位置に取り付けることができる。
【０００５】
また、キャビネットは、トイレ室の大便器と後壁との間の後方スペースの余裕程度に応じて施工時にサイズ（特に幅）を調整しつつ施工される。このため、上述した収納空間内に設ける棚板についても、収納空間の幅に合わせてサイズ（特に幅）を調整する必要が生じる場合がある。このサイズ調整に対応するため、従来は、寸法が異なる棚板を複数種類準備しておく必要があるという問題があった。
【０００６】
そこで、上記のようなサイズ調整に対応するべく、特許文献１に記載の技術が提案されている。特許文献１に記載の棚板は、その底面において、フックが設けられる側と反対側から所定ピッチで複数の凹条が設けられている。この凹条は、棚板の奥行き方向（トイレ室の前後方向）の全体に亘って形成されており、凹状に沿って切断具で棚板をカットすることにより、棚板の幅を調整することが可能になっている。
【先行技術文献】
【特許文献】
【０００７】
【特許文献１】特開２００３−３２８４２２号公報
【発明の概要】
【発明が解決しようとする課題】
【０００８】
上述したように、特許文献１に記載の棚板は、棚板の一方の端部（フック側端部）から突出状にフックを設けた構造であり、当該フックをキャビネットの収容空間内に設けられた側面板の係合孔に対して係止して固定する構造である。そして、棚板のフックが設けられる側と反対側の端部（側壁側端部）は、収容空間内でトイレ室の側壁に対面して配設される。
【０００９】
この特許文献１に記載の棚板の幅を収容空間のサイズに合わせて調整する際は、側壁側端部寄りに設けられた凹条のいずれかに沿って棚板を切断具で切断し、側壁側端部寄りの部位を切り落とす形で棚板の幅を調整することになる。幅調整後の棚板をフックで側面板に係止すると、側壁側端部と側壁との間が幾分か離間した状態で固定される。これは、棚板の切断に用いる凹状が非連続的に設けられていること、また、棚板を収容空間内で着脱する作業性を向上するため収納空間の幅よりもやや短めに棚板の幅を調整することによる。
【００１０】
棚板の側壁側端部を凹条のいずれかに沿って切断して新たに形成された側壁側端部において、切断の直後には切断面にバリ等の荒れが生じる可能性がある。幅調整後の棚板の側壁側端部の切断面に生じたバリ等の荒れは、棚板の側壁側端部を触った作業者や使用者に違和感を与える原因となり得る。また、この切断面に生じたバリ等の荒れは、棚板の見た目を悪くさせる原因や、布製品の織糸等が引っ掛かってほつれを生じさせる原因となり得る。このため、棚板の幅調整においては、切断面のバリ取り等の表面処理を念入りに行う必要があり、かかる切断面の処理の手間が、キャビネットをトイレ室に設置する施工作業の作業性を低下させる一因になっていた。
【００１１】
本発明は、上記のような問題点に鑑みてなされたもので、トイレ室に設置する施工作業の作業性を向上することができるトイレキャビネットを提供することを目的とする。
【課題を解決するための手段】
【００１２】
本発明の態様の１つは、トイレ室の後壁と便器本体との間に配設されるトイレキャビネットであって、トイレ室の左右いずれか一方の側壁に対向して収納空間を形成する側面板と、前記側面板に着脱可能に支持された状態で設けられる棚と、を備え、前記棚の前記側面板に対する支持側の端部寄りの部位には、前記棚を前記側面板に支持するための棚支持部を構成する支持構造部が、前記支持側の端部からの距離を互いに異ならせて複数設けられている、ことを特徴とするトイレキャビネットである。
【００１３】
このように構成されたトイレキャビネットによれば、トイレ室に設置する施工作業の作業性を向上することができる。
【００１４】
本発明の選択的な態様の１つは、前記棚は、前記棚支持部を構成する支持部材と、前記支持部材に設けられる棚板と、を有し、前記棚板の前記支持部材側の端部寄りの部位に、前記支持構造部として、前記棚板を前記支持部材に固定するための固定構造部が、前記棚板の前記支持部材側の端からの距離を互いに異ならせて複数設けられているトイレキャビネットである。
【００１５】
このように構成されたトイレキャビネットは、複数の固定構造部が棚板の基端部寄りの部位に基端面からの距離が互いに異なるように形成されている。また、基端部の最寄りにいずれかの固定構造部が残るように基端部寄りの部位を切除するか、あるいは全ての固定構造部を切除することで、棚板のサイズを調整可能になっている。このように、棚板の切除した側の端部に対して支持部材を固定する構造を採用しているため、棚板の切断された端部が側面板に対向する構造であり、目立ちにくく、布製品の織糸等が引っ掛かる可能性も低い。さらに、棚板の切断された端部を使用者が触る可能性も低い。このため、棚板の切断面のバリ取り等の表面処理が不要になる、又は、低い作業負荷で可能な表面処理で済ませることができる。
【００１６】
本発明の選択的な態様の１つは、前記支持部材は、磁力で前記側面板に対して取り付けられるトイレキャビネットである。
【００１７】
このように構成されたトイレキャビネットでは、側面板に対する棚の取り付けを磁力で行うため着脱自在である。また、側面板のどの位置に対しても棚を取り付ける事が出来る。これにより、収納空間の縦方向を仕切る際の仕切り位置の自由度が向上し、収納空間の縦方向の空間活用性が向上する。
【００１８】
本発明の選択的な態様の１つは、前記棚板は、前記固定構造部によって前記支持部材に着脱自在に固定されるトイレキャビネットである。
【００１９】
このように構成されたトイレキャビネットは、側面板に対して取り付けられる支持部材と、支持部材に基端部を固定される棚板とが着脱自在である。このため、支持部材から分離した状態で棚板のサイズ調整を行うことができる。また、支持部材が棚板から分離できる。そのため、棚板の幅調整を行う際に、支持部材に固定される基端部を側面板又は側壁に当接させて実測しつつ棚板を切断する位置を実測しつつ決定することが可能である。すわなち、トイレキャビネットをトイレ室に設置する施工作業の作業性を従来に比べて向上する事が出来る。
【００２０】
本発明の選択的な態様の１つは、前記支持部材は、前記棚板の基端部を載置する台部と、上方に突出する凸部と、を有し、前記棚板には、前記凸部と凹凸係合する凹部が前記固定構造部として複数設けられており、前記棚は、前記凸部と前記凹部を凹凸係合させつつ前記棚板を前記台部に載置して前記棚板を前記支持部材に固定するトイレキャビネットである。
【００２１】
このように構成されたトイレキャビネットにおいては、凹凸係合により棚板と支持部材とを合体させる構造のため、着脱が容易であり、設計及び製造も容易になる。
【００２２】
本発明の選択的な態様の１つは、前記固定構造部は、前記棚板の前記支持部材側の端から所定ピッチで複数設けられており、前記支持部材及び前記棚板は、前記支持部材に前記棚板を固定した状態で前記台部の先端が前記支持部材と前記棚板の凹凸係合に用いる凹部を超えるように構成されているトイレキャビネットである。
【００２３】
このように構成されたトイレキャビネットは、凹部として形成された固定構造部に支持部材の凸部を凹凸係合させて固定した際に支持部材に対して棚板が安定し、棚板に載置する各種物品の載置安定性が向上する。
【００２４】
本発明の選択的な態様の１つは、前記支持部材は、前記棚板の基端部側の端面を覆うように設けられているトイレキャビネットである。
【００２５】
このように構成されたトイレキャビネットによれば、棚の幅調整のために棚板の固定構造部が切除された場合、棚板の基端面に現れる切断跡を支持部材によって覆い隠すことができる。これにより、例えば、棚板の切断跡に、布製品の織糸等が引っ掛かることを防止することができるといった、棚板の基端側の端部に支持部材を固定する構造による効果を、より確実に得ることができる。
【００２６】
本発明の選択的な態様の１つは、前記支持部材は、前記棚板に対して嵌め殺し状態で固定されているトイレキャビネットである。
【００２７】
このように構成されたトイレキャビネットによれば、棚板が支持部材から外れることがないため、側面板に対する棚の取付状態において、棚板が脱落することがなく、比較的重い物品であっても、棚上に安心して物品を置くことができる。
【００２８】
以上説明したトイレキャビネットは、他の機器に組み込まれた状態で実施されたり他の方法とともに実施されたりする等の各種の態様を含む。また、本発明は、上述したトイレキャビネットの施工方法としても把握される。
【発明の効果】
【００２９】
本発明に係るトイレキャビネットによれば、トイレ室に設置する施工作業の作業性を向上することができる。
【図面の簡単な説明】
【００３０】
【図１】本発明の第一実施形態に係る大便器の後方に設けられるトイレキャビネットを示す正面図である。
【図２】本発明の第一実施形態に係るトイレキャビネットの内部構成を示した平面断面図である。
【図３】本発明の第一実施形態に係る棚の下方斜視図である。
【図４】本発明の第一実施形態に係る棚の上方斜視図である。
【図５】本発明の第一実施形態に係る支持部材の前方斜視図である。
【図６】本発明の第一実施形態に係る支持部材の後方斜視図である。
【図７】本発明の第一実施形態に係る支持部材の側面図である。
【図８】本発明の第一実施形態に係る棚板の底面図である。
【図９】本発明の第一実施形態に係る棚板の平面図である。
【図１０】図９におけるＡ方向矢視図である。
【図１１】図９におけるＢ方向矢視図である。
【図１２】本発明の第一実施形態に係る棚板の縦断面図である。
【図１３】本発明の第一実施形態に係る棚の取付状態を示す側面断面図である。
【図１４】本発明の第二実施形態に係る棚の取付状態を示す斜視図である。
【図１５】本発明の第二実施形態に係る棚の取付状態を示す側面断面図である。
【図１６】図１５におけるＤ部分拡大図である。
【図１７】本発明の第二実施形態に係る棚の上方斜視図である。
【図１８】本発明の第二実施形態に係る棚の下方斜視図である。
【図１９】本発明の第二実施形態に係る支持板を示す図である。
【図２０】本発明の第二実施形態に係る支持板を示す図である。
【図２１】本発明の第二実施形態に係る棚板の平面図である。
【図２２】本発明の第二実施形態に係る棚板の底面図である。
【図２３】図２１におけるＦ方向矢視図である。
【図２４】図２１におけるＧ方向矢視図である。
【図２５】本発明の第二実施形態に係る棚板の基端側の部分拡大斜視図である。
【図２６】本発明の第二実施形態に係る棚板の切断についての説明図である。
【図２７】本発明の第二実施形態に係る棚の分解斜視図である。
【図２８】本発明の第二実施形態に係る棚の基端側の部分平面断面図である。
【図２９】本発明の第二実施形態に係る棚板の切断面を示す図である。
【図３０】本発明の第三実施形態に係る棚の取付状態を示す斜視図である。
【図３１】本発明の第三実施形態に係る棚の取付状態を示す側面断面図である。
【図３２】本発明の第三実施形態に係る側面板の構成を示す図である。
【図３３】本発明の第三実施形態に係る棚の上方斜視図である。
【図３４】本発明の第三実施形態に係る棚の下方斜視図である。
【図３５】本発明の第三実施形態に係る棚の平面図である。
【図３６】本発明の第三実施形態に係る棚の底面図である。
【図３７】図３５におけるＰ方向矢視図である。
【図３８】図３５におけるＱ方向矢視図である。
【発明を実施するための形態】
【００３１】
以下、図面を参照しつつ本発明の実施形態について説明する。
【００３２】
［第１実施形態］
本発明に係るトイレキャビネットの第１実施形態について説明する。図１は、本実施形態に係るトイレ室を大便器の正面から見て示した図、図２は、トイレキャビネットの内部構成を断面的に示した図である。図１及び図２に示すように、トイレ室Ｒには、トイレ室Ｒの後壁ＢＷと便器本体Ｍとの間にトイレキャビネット１００が配設されている。
【００３３】
トイレキャビネット１００は、左右方向についてトイレ室Ｒの左右の壁間の全体にわたって設けられている。すなわち、トイレキャビネット１００の左端は、トイレ室Ｒの左側の側壁である左側壁ＬＷに接しており、トイレキャビネット１００の右端は、トイレ室Ｒの右側の側壁である右側壁ＲＷに接している。なお、トイレキャビネット１００において、便器本体Ｍに着座した状態の使用者の左側（図１における右側）を左側とし、同使用者の右側（図１における左側）を右側とする。トイレキャビネット１００の内部空間１０の左壁１１はトイレ室Ｒの左側壁ＬＷで構成され、内部空間１０の右壁１２はトイレ室Ｒの右側壁ＲＷで構成され、内部空間１０の下壁１３はトイレ室Ｒの床ＦＬで構成されている。むろん、内部空間１０の左右及び下の壁は、トイレ室Ｒの左右の側壁や床を流用せず別途に設けた部材で構成してもよい。
【００３４】
内部空間１０の上壁１４は、トイレキャビネット１００の天面板２１により構成されている。内部空間１０の前壁１５は、便器本体Ｍの直後方（図１，図２において便器本体Ｍの左右幅と略一致する範囲）で内部空間１０の前面を覆う前面板２２、便器本体Ｍの右後方で内部空間１０の前面を覆う右扉２３、及び、便器本体Ｍの左後方で内部空間１０の前面を覆う左扉２４に分割して構成されている。なお、図１，図２には左扉２４を開放した状態を示してある。
【００３５】
トイレキャビネット１００の内部空間１０は、収納空間として利用できる。図１には、便器本体Ｍをいわゆる壁掛便器の構成とした例を示してある。便器本体Ｍが壁掛便器である場合、便器本体Ｍを床ＦＬから浮いた状態に支持する支持部材としてのフレームが、内部空間１０内に収容配設される。また、便器本体Ｍの後部上面に貯水タンクを載置するタイプの大便器の場合、この貯水タンクが、内部空間１０内に収容された状態で設けられる。
【００３６】
トイレキャビネット１００の内部空間１０には、内部空間１０を区画する側面板２０（２０Ｌ，２０Ｒ）が設けられる。側面板２０は、図１に示す例では内部空間１０を便器本体Ｍの直後方の中間収納空間１０Ｍと、その左右の収納空間１０Ｓ（１０Ｌ，１０Ｒ）とに区画するように左右２箇所に設けられている。すなわち、左側の収納空間１０Ｓは、側面板２０Ｌよりも左方の空間である側面板２０Ｌとトイレ室Ｒの左側壁ＬＷとの間の左収納空間１０Ｌであり、右側の収納空間１０Ｓは、側面板２０Ｒよりも右方の空間である側面板２０Ｒとトイレ室Ｒの右側壁ＲＷとの間の右収納空間１０Ｒである。また、中間収納空間１０Ｍ内には、上述した構成例において、壁掛便器の支持部材や貯水タンクが配設される。
【００３７】
左収納空間１０Ｌ及び右収納空間１０Ｒのそれぞれにおいて、側面板２０Ｌ，２０Ｒに、棚３０が取り付け可能に設けられている。これにより左収納空間１０Ｌ及び右収納空間１０Ｒにおける上下方向の空間利用性の向上が図られている。
【００３８】
以上のように、本実施形態に係るトイレキャビネット１００は、トイレ室Ｒの後壁ＢＷと便器本体Ｍとの間に配設されるものであり、トイレ室Ｒの左右いずれか一方の側壁（左側壁ＬＷ、右側壁ＲＷ）に対向して収納空間１０Ｓを形成する側面板２０と、側面板２０に着脱可能に支持された状態で設けられる棚３０とを備える。そして、本実施形態に係るトイレキャビネット１００は、左右両側において、トイレ室Ｒの側壁に対向して収納空間を形成する側面板２０Ｌ，２０Ｒと、各側面板２０Ｌ，２０Ｒに取り付けられる棚３０とを備える。また、本実施形態では、左右の各収納空間１０Ｓにおいて、上下２段の棚３０が設けられている。
【００３９】
棚３０は、トイレキャビネット１００の収納空間１０Ｓ内において、トイレ室Ｒの側壁に対向する側面板２０に支持された状態で設けられる。つまり、棚３０は、収納空間１０Ｓ内において、左右方向の内側を支持側として片持ち支持された状態で設けられる。
【００４０】
このような棚３０の支持構成において、棚３０の側面板２０に対する支持側の端部寄りの部位には、棚３０を側面板２０に支持するための棚支持部４０を構成する支持構造部４０ａが、棚３０の支持側の端からの距離を互いに異ならせて複数設けられている。なお、棚３０において、その幅方向（図１における左右方向）に対応する左右方向について、側面板２０に対する支持側（左右方向内側）を基端側とし、その反対側（左右方向外側）を先端側とする。
【００４１】
上記のとおり棚３０において棚支持部４０を構成する支持構造部４０ａは、棚３０の幅調整のために適宜切除される部分として設けられた部分である。トイレ室Ｒの左側壁ＬＷと右側壁ＲＷとの間の寸法、つまりトイレ室Ｒの幅寸法（左右方向の寸法）は、建物の間取りや現場によって異なるため、収納空間１０Ｓの幅寸法に合わせて、棚３０の幅寸法を調整する必要がある。そこで、棚３０においては、その基端側に、間口調整用の被切除部分として、棚支持部４０を構成する支持構造部４０ａが複数連続的に設けられている。
【００４２】
支持構造部４０ａは、棚支持部４０の一部あるいは全部を構成する部分であって、棚３０の幅方向について、所定の切断部を介して繰り返し連続的にかつ一体的に複数連設されている。複数の支持構造部４０ａは、棚３０の基端側において、棚３０が有する略面一の載置面３０ａの一部を形成するように、つまり棚３０における一体的な棚板部分を構成するように設けられている。そして、複数の支持構造部４０ａの、棚３０の支持側の端からの距離は、棚３０の基端側の端面からの棚３０の幅方向についての距離であり、この距離は、基端側の端に位置する支持構造部４０ａから先端側に位置する支持構造部４０ａにかけて順に段階的に長くなる。
【００４３】
棚３０を構成する複数の支持構造部４０ａは、どの切断部によって切断されても、棚３０の基端側の端部の形状・寸法を共通の形状・寸法とするように設けられている。すなわち、切除する支持構造部４０ａの数により、棚３０の基端側の端部の形状・寸法が維持されながら棚３０の幅寸法が調整される。隣り合う支持構造部４０ａ間の境界部となる切断部は、棚３０の幅方向に垂直な面に沿うように設けられている。ただし、支持構造部４０ａ間の切断部は、棚３０の幅方向に垂直な面に対して傾斜した面に沿って設けられたり、互いに異なる複数の平面に沿うように設けられたりしてもよい。
【００４４】
棚３０において、支持構造部４０ａ間の切断部は、例えば溝部や凹部等の、他の部分に対して相対的に薄肉状の部分をなす部分である。支持構造部４０ａ間の切断部は、例えば棚３０がＰＰ（ポリプロピレン）やＡＢＳ樹脂等の合成樹脂により成形された樹脂製の部材である場合において、例えばナイフ状のカッター等の刃物を用いることで支持構造部４０ａを容易に分離させることが可能な態様で設けられている。以下、本実施形態に係る棚３０について詳細に説明する。
【００４５】
図３は、棚３０全体を斜め下から見て示した斜視図、図４は、棚３０全体を斜め上から見て示した斜視図である。棚３０は、棚支持部４０を構成する支持部材３１と、支持部材３１に設けられる棚板３２とを有する。具体的には、棚３０は、側面板２０に取り付けられる支持部をなす支持部材３１として、棚３０の基端側の前後両側に設けられた２つの支持部材３１ａ，３１ｂを有する。また、棚３０は、支持部材３１ａ，３１ｂに固定されて棚本体部をなす棚板３２を有する。棚板３２の上面３２ａが、棚３０の載置面３０ａとなる。棚３０は、全体として、平面視で幅方向に直交する方向である前後方向（図２における上下方向）について対称に構成されており、棚３０を構成する支持部材３１及び棚板３２の各部材も、前後方向について対称に構成されている。
【００４６】
支持部材３１ａ，３１ｂは、側面板２０に着脱自在に取り付けられる。支持部材３１ａ，３１ｂを側面板２０に対して取り付ける方法としては、様々な手法を採用可能であるが、本実施形態では、磁力で支持部材３１ａ，３１ｂを側面板２０に取り付ける構成を採用している。
【００４７】
具体的には、例えば、支持部材３１の側に磁石を取り付けて、側面板２０を磁石にくっつく金属等で構成する。磁石は支持部材３１の内部に埋設してもよいし、支持部材３１の側面板２０に面する側面に一部露出させて固定してもよい。その他、磁力で支持部材３１を側面板２０に取り付ける構成としては、例えば、側面板２０を磁石としたり側面板２０の表面にシート状の磁石を貼り付けつつ支持部材３１の少なくとも一部を磁石にくっつく部材で形成したりする構成や、側面板２０と支持部材３１の双方を磁石とする構成等がある。このように、本実施形態では、支持部材３１は、磁力で側面板２０に対して取り付けられる。むろん、側面板２０に対する棚３０の取付構成としては、磁力を用いた構成に限らず、フックと係止孔の組み合わせによる係止構造等を採用しても構わない。
【００４８】
このように、支持部材３１を磁力で側面板２０に取り付ける構成を採用することにより、棚３０の高さ調整が極めて容易になる。また、磁力の働かない部位には支持部材３１が固定されないため、予め棚３０を取り付けることを想定した部位である側面板２０以外に誤設置されるおそれがない。
【００４９】
次に、支持部材３１の具体的構成について説明する。図５は支持部材３１を前方から見て示した斜視図、図６は支持部材３１を後方から見て示した斜視図、図７は支持部材３１の側面図である。なお、前後の支持部材３１ａ，３１ｂは略同一形状又は左右対称な形状で実現されるため、以下では、特に断らない限り、支持部材３１ａ，３１ｂをまとめて支持部材３１として説明する。
【００５０】
支持部材３１は、例えばＰＰ（ポリプロピレン）やＡＢＳ樹脂等の合成樹脂により成形された一体の樹脂成形体を主体とする部材である。支持部材３１は、壁部３１１と、台部３１２と、係止部３１３と、補強リブ３１４とを有する。壁部３１１は、側面板２０に取り付けた状態で側面板２０に沿う方向（略垂直方向）に延びる壁状の部分である。台部３１２は、壁部３１１に対して略垂直な面として形成されており側面板２０に取り付けた状態で水平方向に延びる平坦な台面３１２ａを構成する部分である。係止部３１３は、壁部３１１の台部３１２よりも上方位置に設けられるＬ字フック状の部分である。補強リブ３１４は、台部３１２の下方において台部３１２と壁部３１１との間に架設された略直角三角形の板状の部分であり、台部３１２と壁部３１１との間を補強する。
【００５１】
壁部３１１は、支持部材３１を側面板２０に取り付けた際に、側面板２０に対向する対向面３１５を有する。対向面３１５の上部に磁石３１６が固定されている。また、対向面３１５の下端付近には滑り性の低い緩衝材３１７が固定されている。具体的には、図６に示すように、対向面３１５は、支持部材３１の背面側において、壁部３１１の外形に沿う外周壁部３１５ａと、壁部３１１の幅方向の中央部に上下方向に沿って配された互いに平行な２つの中間壁部３１５ｂ，３１５ｂとにより形成されている。すなわち、対向面３１５は、外周壁部３１５ａ及び中間壁部３１５ｂそれぞれの、支持部材３１の背面側の端面により、所定の平面に沿う複数の線状の面部を有する面として形成されている。そして、一対の中間壁部３１５ｂ，３１５ｂ間において、上端部に磁石３１６が設けられ、下端部に緩衝材３１７が設けられている。
【００５２】
このような支持部材３１によれば、支持部材３１を側面板２０に固定した状態において、磁石３１６が側面板２０に対して吸着する個所が支点、壁部３１１の下端が側面板２０に対する力点となり、棚３０の自重及び棚３０の載置物の荷重により発生するトルクが壁部３１１の下端を介して側面板２０へ加えられる。
【００５３】
このトルクによって、対向面３１５の下端付近に固定された緩衝材３１７が側面板２０と壁部３１１の間に押圧挟持され、この緩衝材３１７が壁部３１１と側面板２０の間の滑り止めとして機能する。これにより、磁石３１６の吸着によって磁石３１６と側面板２０との間に発生する静止摩擦力を超える荷重が加わっても、緩衝材３１７と側面板２０との間の静止摩擦力によって、側面板２０に沿って棚３０が下方に摺動しにくい構造が実現される。
【００５４】
係止部３１３は、壁部３１１に一体形成された基部３１３ａから、先端を上方に向かって鉤状に屈曲形成することで側面視でＬ字をなすようにフック状に形成されている。この係止部３１３の上方に向かって延びる部位が、本実施形態において凸部３１３ｂを構成する。この係止部３１３を棚板３２の下面３２２に形成される凹部３２１に係合させることで、支持部材３１と棚板３２とが連結固定される。
【００５５】
詳細には、係止部３１３において、凸部３１３ｂは、台面３１２ａの上方において壁部３１１に対向するように設けられている。この凸部３１３ｂの下部と壁部３１１とを繋ぐ部分が、係止部３１３の基部３１３ａとなる。基部３１３ａは、支持部材３１の幅方向に等間隔に３箇所に設けられている。このように、係止部３１３は、基部３１３ａと凸部３１３ｂとにより、側面視で略「Ｌ」字状をなすように設けられている。したがって、係止部３１３と壁部３１１とにより、壁部３１１及び凸部３１３ｂの互いの対向面を内側面とするとともに基部３１３ａを底部とする溝状の凹状部３１８が形成されている。
【００５６】
続いて、棚板３２の具体的構成について説明する。図８は棚板３２の底面図、図９は棚板３２の平面図、図１０は棚板３２の側面図（図９におけるＡ方向矢視図）、図１１は棚板３２の基端側の側面図（図９におけるＢ方向矢視図）、図１２は棚板３２の縦断面図（図９におけるＣ−Ｃ断面図）、図１３はトイレキャビネットに取り付けられた棚３０を長さ方向に略垂直に切断して示した断面図である。
【００５７】
棚板３２は、例えばＰＰ（ポリプロピレン）やＡＢＳ樹脂等の合成樹脂により成形された一体の樹脂成形体である。棚板３２には、支持部材３１に固定される側の端部である基端部寄りの部位に、棚板３２の基端側（支持部材３１側）の端（端面）である基端面３２３からの棚板３２の幅方向（図８における左右方向）の距離を互いに異ならせて、棚板３２を支持部材３１に固定するための凹部３２１が複数設けられている。複数の凹部３２１において隣り合う凹部３２１の境界付近には、それぞれ切断部としてのカットライン３２４が設けられている。いずれかのカットライン３２４に沿って棚板３２を切断することにより、切断に使用したカットライン３２４よりも基端部寄りの部位を棚板３２の本体から切除できる。
【００５８】
すなわち、本実施形態において、棚板３２の凹部３２１は、上述したように棚３０において棚支持部４０を構成する支持構造部４０ａに相当する。また、凹部３２１は、棚板３２を支持部材３１に固定するための固定構造部として機能する。棚板３２は、固定構造部としての凹部３２１によって支持部材３１に着脱自在に固定される。そして、本実施形態では、棚支持部４０は、支持構造部４０ａとしての凹部３２１と、凹部３２１に固定される２つの支持部材３１とにより構成されている。
【００５９】
このように、本実施形態の棚３０において、棚板３２の支持部材３１側の端部（基端部）寄りの部位に、支持構造部４０ａとして、棚板３２を支持部材３１に固定するための固定構造部である凹部３２１が、棚板３２の基端面３２３からの距離を互いに異ならせて複数設けられている。本実施形態では、７個の凹部３２１が設けられている。
【００６０】
凹部３２１は、支持部材３１とともに棚支持部４０を構成する部分であって、棚板３２の幅方向について、カットライン３２４を介して繰り返し連続的にかつ一体的に複数連設されている。複数の凹部３２１は、棚板３２の基端側において、棚３０の載置面３０ａである棚板３２の略面一の上面３２ａの一部を形成するように、つまり棚３０において一体的な棚板部分をなす棚板３２を構成するように設けられている。そして、複数の凹部３２１の、棚板３２の基端面３２３からの距離は、基端面３２３からの棚板３２の幅方向についての距離であり、この距離は、基端側の端に位置する凹部３２１から先端側に位置する凹部３２１にかけて順に段階的に長くなる。
【００６１】
複数の凹部３２１は、どのカットライン３２４によって切断されても、棚板３２の基端部の形状・寸法を共通の形状・寸法とするように設けられている。すなわち、切除する支持構造部４０ａの数により、棚板３２の基端部の形状・寸法が維持されながら棚板３２の幅寸法が調整される。なお、棚板３２は、その最も先端側のカットライン３２４により切断されて全ての凹部３２１が切除された状態においても、棚板３２の本体の基端側の端部の形状・寸法が維持されるように構成されている。したがって、７個の凹部３２１を有する棚板３２は、８段階で幅方向の寸法を調整することが可能となっている。また、隣り合う凹部３２１間の境界部となるカットライン３２４は、棚板３２の幅方向に垂直な面に沿うように設けられている。ただし、カットライン３２４は、棚板３２の幅方向に垂直な面に対して傾斜した面に沿って設けられたり、互いに異なる複数の平面に沿うように設けられたりしてもよい。
【００６２】
凹部３２１は、棚板３２の上面３２ａの一部を形成する上面部３２１ａと、棚板３２の側面部を形成する側壁面部３２１ｂ，３２１ｂと、棚板３２の基端側の壁面部をなす基端側壁面部３２１ｃとを有する。基端側の端に位置する凹部３２１の基端側壁面部３２１ｃの基端側の面が、基端面３２３となる。
【００６３】
カットライン３２４は、隣り合う凹部３２１間において、上面部３２１ａ及び側壁面部３２１ｂに沿うように連続的に設けられている。すなわち、カットライン３２４は、棚板３２の上面部において隣り合う凹部３２１の上面部３２１ａ間の直線状の境界線に沿う部分と、棚板３２の側面部において隣り合う凹部３２１の側壁面部３２１ｂ間の直線状の境界線に沿う部分とを有する。各凹部３２１は、その上面部３２１ａ、側壁面部３２１ｂ，３２１ｂ及び基端側壁面部３２１ｃにより、先端側（図８において右側）に隣接した凹部３２１の基端側壁面部３２１ｃとともに、棚板３２の前後方向に細長い下面開放の箱状の部分を形成する。
【００６４】
棚板３２は、図８〜図１２に示す例では、全体として下面が開放した矩形箱状に形成されている。つまり、棚板３２は、箱状の部分を形成する面部として、上面３２ａをなす上面部と、棚板３２の前後方向両側の側面部と、基端側の壁面部と、先端側の壁面部３３４とを有する。そして、棚板３２の箱内において、基端面３２３に沿う方向に略平行に延びて箱内を区画する横リブ３２５〜３３１が、棚板３２の基端部寄りの部位に所定ピッチで７箇所に並設されている。各横リブ３２５〜３３１は、棚板３２の幅方向を板厚方向とする板状の面部であり、棚板３２の幅方向の全体にわたって形成されている。すなわち、図８に示すように、７つの凹部３２１がカットライン３２４を介して棚板３２の基端側から棚板３２の幅方向に連設された構成において、先端側（図８において右側）の６つの凹部３２１の基端側壁面部３２１ｃである６本の横リブ３２５〜３３０と、最も先端側のカットライン３２４により切断された状態の棚板３２において基端側（図８において左側）の壁面部となる横リブ３３１とが設けられている。
【００６５】
これらの７本の横リブ３２５〜３３１により棚板３２の箱内が区画され、この区画によって７本の凹条４１〜４７が形成されている。凹条４１〜４７のそれぞれが、上述した凹部３２１を構成する。すなわち、各凹条４１〜４７は、各凹部３２１と、その先端側（図８において右側）に隣接した凹部３２１の基端側壁面部３２１ｃとにより、棚板３２の幅方向（図８における上下方向）に細長い下面開放の箱状の部分として形成されている。なお、図８に示す例では、棚板３２の箱内において横リブ３２５〜３３１と直交する方向（棚板３２の幅方向）に延びる２本の縦リブ３３２，３３３が、棚板３２の幅方向の全体にわたって、棚板３２の箱内を幅方向に略３分割する態様で形成されている。これらの横リブ３２５〜３３１と縦リブ３３２，３３３との交差部が十字リブとなって棚板３２の箱構造を補強している。
【００６６】
棚板３２の基端側の壁面部となる、最も基端側の凹部３２１の基端側壁面部３２１ｃ、及び凹条４１〜４７を区画する横リブ３２５〜３３１の各壁面部には、支持部材３１が係止される位置に切欠部４８，４９が設けられている。切欠部４８，４９は、各壁面部の下端部を切り欠き状に凹ませた凹状部である。本実施形態では、切欠部４８，４９は、棚板３２の幅方向を長手方向とする矩形状に沿う形状を有する（図１１参照）。また、切欠部４８，４９は、棚板３２の幅方向について対称的に設けられている。各凹部３２１の基端側壁面部３２１ｃ及び横リブ３３１の各壁面部において、棚板３２の幅方向の一側の端部近傍に切欠部４８が設けられており、同幅方向の他側の端部近傍に切欠部４９が設けられている。このように切欠部４８，４９が設けられた壁面部が、棚板３２における凹部３２１の切除状態（あるいは残存状態）に応じて棚板３２の基端側の端部の壁面部（以下「基端壁面部」という。）となることで、支持部材３１が固定される壁面部となる。
【００６７】
したがって、図８〜図１２に示す棚板３２においては、最も基端部寄りに位置する凹部３２１の基端側壁面部３２１ｃが、各切欠部４８，４９において支持部材３１の固定を受ける基端壁面部となる。基端壁面部に対しては、支持部材３１は、切欠部４８，４８に合わせて係止部３１３のＬ字フックを下方から係合させることで固定される。ここで、支持部材３１は、係止部３１３を切欠部４８，４９に係合させることで、棚板３２の幅方向について位置決めされる。つまり、基端壁面部において切欠部４８，４９が形成された部分が、支持部材３１の凹状部３１８に挿嵌され、係止部３１３と壁部３１１の間に挟持固定された状態で、支持部材３１が、基端壁面部に固定される。
【００６８】
図８〜図１２に示す例では、カットライン３２４は、各凹部３２１の先端側において、棚板３２の外面側及び内面側に形成されている。カットライン３２４は、棚板３２の外面側については、棚板３２の幅方向両画の側面部及び上面部のそれぞれの面部に沿って形成されている。また、カットライン３２４は、棚板３２の内面側については、棚板３２の上面部の裏側面及び各リブ３２５〜３３１の基端側の壁面に沿って、棚板３２の箱内面及びリブ３３２，３３３に形成されている。カットライン３２４は、例えば、断面Ｖ字状の溝とされる。
【００６９】
このような位置で形成されるカットライン３２４の何れかに沿って例えばナイフ状のカッター等の切断具を用いて棚板３２を切断すると、切断後の棚板３２の基端側には、切欠部４８，４９を有するリブ３２５〜３３１の何れかが基端壁面部として現れることになる。従って、いずれのカットライン３２４で棚板３２を切断した場合でも、同じ支持部材３１を同じように棚板３２の基端壁面部に固定することができる。なお、カットライン３２４は、例えば薄肉状の部分等、凹部３２１を切除する際に、ナイフ状のカッター等の刃物を用いることで凹部３２１を容易に分離させることが可能な部位であればよく、その形状や配設部分は、本実施形態に限定されるものではない。
【００７０】
以上のように、本実施形態に係る棚３０においては、支持部材３１は、棚板３２の基端部を載置する台部３１２と、上方に突出する凸部３１３ｂとを有し、棚板３２には、凸部３１３ｂと凹凸係合する凹部３２１が固定構造部として複数（本実施形態では７個）設けられている。そして、棚３０は、凸部３１３ｂと凹部３２１を凹凸係合させつつ棚板３２を台部３１２に載置して棚板３２を支持部材３１に固定する。
【００７１】
また、図８〜図１３に示すように、棚板３２において、固定構造部としての凹部３２１は、棚板３２の基端面３２３から所定ピッチ（等ピッチ）で複数設けられている。そして、支持部材３１及び棚板３２は、支持部材３１に棚板３２を固定した状態で台部３１２の先端が支持部材３１と棚板３２の凹凸係合に用いる凹部３２１を超えるように構成されている。
【００７２】
具体的には、図１３に示すように、棚板３２の基端面３２３を支持部材３１の壁部３１１に当接させつつ凹凸係合させた状態、つまり棚板３２に支持部材３１を固定した状態において、棚板３２の基端側の端部は、支持部材３１の台部３１２上に載置された状態となり、台面３１２ａによって下方から部分的に覆われた状態となる。そこで、棚板３２に支持部材３１が固定された状態において、棚板３２の基端面３２３から台部３１２の先端までの長さｄ１が、当該凹凸係合に用いられる凹部３２１の幅ｄ２よりも長くなるように、凹部３２１の幅及び台部３１２の奥行き、並びに、支持部材３１の位置が調整されている。すなわち、棚３０は、棚板３２の基端面３２３が接触する壁部３１１の正面側の壁面が台部３１２の突設の基準面と面一である構成において、棚板３２の基端側の端部の載置支持面となる台面３１２ａの奥行き方向（棚３０の幅方向）の寸法が、凹部３２１の幅寸法よりも大きくなるように構成されている。
【００７３】
このように構成することで、台部３１２の先端が確実に凹凸係合に用いる凹部３２１を超え、その凹部３２１の先端側に隣接する凹部３２１の基端側壁面部３２１ｃ（横リブ３２５〜３３１のいずれか）の下にまで台部３１２が伸びている状態が実現される。つまり、棚３０の幅方向について、棚板３２の基端側の端部の少なくとも１つの凹部３２１の幅寸法よりも大きな寸法の範囲で、棚板３２の基端側の端部が支持部材３１の台部３１２により支持された状態となる。これにより、台部３１２上に載置固定される棚板３２の安定性が向上する。なお、本実施形態では、台部３１２の奥行き方向の長さ（長さｄ１）は、凹部３２１の幅寸法（幅ｄ２）に対して、約１．７倍の長さであるが、凹部３２１の幅寸法２倍以上の長さであってもよい。
【００７４】
以上のような構成を備えた本実施形態に係るトイレキャビネット１００は、複数の固定構造部としての凹部３２１が棚板３２の基端部寄りの部位に基端面からの距離が互いに異なるように形成されている。また、基端部の最寄りにいずれかの凹部３２１が残るように基端部寄りの部位を切除するか、あるいは全ての凹部３２１を切除することで、棚板３２のサイズ（幅）を調整可能になっている。このように、棚板３２の切除した側の端部に対して支持部材３１を固定する構造を採用している。つまり、棚板３２の切断された端部が支持部材３１を介して側面板２０に対向する構造である。このため、棚板３２の切断された端部が目立ちにくく、その端部に布製品の織糸等が引っ掛かる可能性も低い。さらに、棚板３２の切断された端部を使用者が触る可能性も低い。このため、棚板３２の切断面のバリ取り等の表面処理が不要になる、又は、低い作業負荷で可能な表面処理で済ませることができる。すなわち、トイレキャビネット１００をトイレ室Ｒに設置する施工作業の作業性を向上することができる。
【００７５】
また、上述のように構成された棚３０を、トイレキャビネット１００の左収納空間１０Ｌや右収納空間１０Ｒで用いる場合、棚３０のサイズ調整が従来に比べて容易になる。すなわち、支持部材３１と棚板３２とが別体になっていて着脱自在に構成されているため、左収納空間１０Ｌや右収納空間１０Ｒの横幅に合わせて棚３０の幅を調整する際に、例えば、棚板３２の基端面３２３あるいは棚板３２の先端側の端面を側面板２０Ｌ，２０Ｒ又は左側壁ＬＷ，右側壁ＲＷに当接させつつ実測して切断に用いるカットライン３２４を決定できるため、従来に比べて棚３０の幅調整にかかる作業性が向上する。
【００７６】
すなわち、棚板３２の幅調整作業においては、所定ピッチで複数設けられた凹部３２１間のいずれかのカットライン３２４に沿って切断具で切断するかを決定する必要がある。この点、上述したような従来技術に係る棚板によれば、フック側端部から突出状にフックを設けているため、フック側端部を側面板２０又は左側壁ＬＷ，右側壁ＲＷに当接させた状態で実測することが物理的に不可能である。このことは、キャビネットをトイレ室に設置する施工作業の作業性を低下させる一因となる。
【００７７】
そこで、本実施形態に係る棚３０によれば、例えば、棚板３２の先端側の端面を側面板２０Ｌ，２０Ｒ又は左側壁ＬＷ，右側壁ＲＷに当接させた状態で、棚板３２の基端面３２３の位置により、目視によって、切断に用いるカットライン３２４を決定することができる。このため、左収納空間１０Ｌや右収納空間１０Ｒの横幅の寸法を、棚板３２の寸法に合わせるといった作業を省略することができるので、従来に比べて棚３０の幅調整作業の作業性を向上することができる。
【００７８】
また、棚３０は、いずれかのカットライン３２４に沿って棚板３２を切断すると切断面の側に支持部材３１と係合する凹部３２１の基端側壁面部３２１ｃ及び切欠部４８，４９が現れる構造であり、この切断面の側に支持部材３１が固定される。このため、側面板２０に固定される側が切断面であり、その反対側には切断面が向かない構造である。これにより、通常、利用者が把持したり視認したりしやすい棚３０の先端部に切断によるバリ等の荒れが無く、棚３０の外観が悪化しにくく、利用者が違和感を覚えにくい。また、棚板３２に載置される布製品の織糸等が切断面のバリ等の荒れに引っ掛かる可能性も低くなる。従って、棚板３２の切断面のバリ取り等の表面処理を行わずに済んだり、表面処理を簡素化可能になったりする場合もあり、トイレキャビネット１００をトイレ室Ｒに設置する際の施工作業の作業性が向上する。
【００７９】
また、支持部材３１と棚板３２が着脱自在に構成されているため、各々を個別に用いることもできる。棚板３２については、例えば、床に置いて床保護部材として用いることが可能である。支持部材３１については、例えば、支持部材３１のみを側面板２０に磁力で取り付けて、物を吊り下げるフックとして用いることが可能である。
【００８０】
［第２実施形態］
本発明に係るトイレキャビネットの第２実施形態について、図１４〜図２９を用いて説明する。なお、第１実施形態と共通する部分については同一の符号あるいは同一の名称を用いる等して適宜説明を省略する。
【００８１】
図１４〜図１８に示すように、本実施形態に係る棚５０は、トイレキャビネット１００の収納空間１０Ｓ内において、トイレ室Ｒの側壁に対向する側面板７０に支持された状態で設けられる。つまり、棚５０は、収納空間１０Ｓ内において、左右方向の内側を支持側として片持ち支持された状態で設けられる。なお、図１４は、収納空間１０Ｓのうち左収納空間１０Ｌを示している。また、図１５は、棚５０の取付状態を示す側面断面図である。
【００８２】
本実施形態に係る棚５０は、側面板７０に対する支持構造の点で、第１実施形態と異なる。本実施形態に係る棚５０は、側面板７０に対して、係止構造によって支持される。すなわち、棚５０は、側面板７０に対する支持側（基端側）に係止部５０ｂを有し、側面板７０側には、係止部５０ｂと係合する被係合部となる係止孔７１が穿設されている。係止孔７１は、側面板７０において上下方向に間隔を隔てて複数設けられている。係止部５０ｂを係合させる係止孔７１により、棚５０の高さ位置が調整される。係止孔７１は、水平方向に沿って形成された横長のスリット状（細長の矩形状）の開口部である。棚５０は、係止部５０ｂを係止孔７１に差し込むことで側面板７０に係合し、水平状態で支持された状態となる。
【００８３】
このような棚５０の支持構成において、棚５０の側面板７０に対する支持側の端部寄りの部位には、第１実施形態に係る棚３０の場合と同様に、棚５０を側面板７０に支持するための棚支持部４０を構成する支持構造部４０ａが、棚５０の支持側の端からの距離を互いに異ならせて複数設けられている。
【００８４】
すなわち、支持構造部４０ａは、棚支持部４０の一部あるいは全部を構成する部分であって、棚５０の幅方向について、所定の切断部を介して繰り返し連続的にかつ一体的に複数連設されている。複数の支持構造部４０ａは、棚５０の基端側において、棚５０が有する略面一の載置面５０ａの一部を形成するように、つまり棚５０における一体的な棚板部分を構成するように設けられている。棚５０を構成する複数の支持構造部４０ａは、どの切断部によって切断されても、棚５０の基端側の端部の形状・寸法を共通の形状・寸法とするように設けられている。以下、本実施形態に係る棚５０について詳細に説明する。
【００８５】
棚５０は、棚支持部４０を構成する支持部材としての支持板５１と、支持板５１に設けられる棚板５２とを有する。具体的には、棚５０は、側面板７０に取り付けられる支持部をなす支持部材として、棚５０の基端側の端部に設けられた１つの支持板５１を有する。また、棚５０は、支持板５１に固定されて棚本体部をなす棚板５２を有する。棚板５２の上面５２ａが、棚５０の載置面５０ａとなる。棚５０は、全体として、平面視で幅方向に直交する方向である前後方向（図２８における左右方向）について対称に構成されており、棚５０を構成する支持板５１及び棚板５２の各部材も、前後方向について対称に構成されている。
【００８６】
支持板５１は、側面板７０に着脱自在に取り付けられる。支持板５１を側面板７０に対して取り付ける方法としては、様々な手法を採用可能であるが、本実施形態では、上記にとおり係止構造により支持板５１を側面板７０に取り付ける構成を採用している。
【００８７】
具体的には、棚５０において、係止部５０ｂは、支持板５１の一部として設けられている。係止部５０ｂは、棚５０の基端側の端部において載置面５０ａから上方に突出した横長状の突片部分であり、棚５０の前後方向の中央部に設けられている。
【００８８】
詳細には、図１６に示すように、係止部５０ｂは、側面断面視で略クランク状（略「Ｓ」字状）の形状を有する。係止部５０ｂは、側面断面視で略クランク状をなす部分として、棚５０の基端側の端面である基端面５０ｃと面一に設けられた下垂直面部５３ａと、下垂直面部５３ａに対して棚板５２側と反対側（図１６において左側）に略直角状に屈曲した水平面部５３ｂと、水平面部５３ｂに対して上側に略直角状に屈曲した上垂直面部５３ｃとを有する。
【００８９】
このような係止部５０ｂを基端部に有する棚５０は、係止部５０ｂをその先端側（上端側）から側面板７０の係止孔７１に差し込み、上垂直面部５３ｃを側面板７０の内側に係止させた状態で、係止孔７１によって側面板７０に取り付けられた状態、つまり側面板７０に支持された状態となる。棚５０の側面板７０に対する取付状態においては、基端面５０ｃ及びこれと面一の下垂直面部５３ａの板面は、側面板７０の外側面７０ａに接触し、水平面部５３ｂの下面は、係止孔７１の下面７１ａに接触し、上垂直面部５３ｃの棚板５２側（図１６において右側）の面は、側面板７０の内側面７０ｂに接触した状態となる。すなわち、棚５０は、基端面５０ｃ及びこれと面一の下垂直面部５３ａの板面と、上垂直面部５３ｃの棚板５２側の板面とにより、側面板７０に対して両面側から接触し、支持された状態となる。
【００９０】
このような支持構成においては、棚５０の自重及び棚５０の載置物の荷重が、上述したような側面板７０に対する接触面において受けられる。また、係止部５０ｂによる係止作用を得るため、係止部５０ｂにおける水平面部５３ｂの下面と上垂直面部５３ｃの上端面との間の寸法Ｅ１は、係止孔７１の上下幅寸法Ｅ２よりも大きい。
【００９１】
このように、本実施形態では、棚５０は、係止部５０ｂを係止孔７１に差し込むことで側面板７０に係合して取付状態となる。なお、係止部５０ｂ及び係止孔７１の形状等、棚５０の側面板７０に対する係止構造における各部の形状は、本実施形態に限定されるものではなく、係止作用が得られる適宜の形状を採用することができる。また、側面板７０に対する棚５０の取付構成としては、磁力を用いた構成であってもよい。
【００９２】
また、本実施形態において、棚５０が支持される側面板７０としては、例えばプレス加工等により複数の係止孔７１等の所定の形状部分を容易に形成することができことから、部品としての加工コストの面で、鋼板等の金属板が好適に用いられる。また、側面板７０を金属板により構成することにより、棚５０の支持に上述したような磁力を用いることが可能となる。
【００９３】
次に、支持板５１の具体的構成について、図１９及び図２０を用いて説明する。図１９（ａ）は支持板５１の表面側の斜視図、図１９（ｂ）は支持板５１の裏面側の斜視図、図２０（ａ）は支持板５１の正面図、図２０（ｂ）は支持板５１の側面図、図２０（ｃ）は支持板５１の平面図である。
【００９４】
支持板５１は、例えば鋼板等より形成された金属製の部材である。支持板５１は、全体として、横方向を長手方向とする略矩形板状の部材である。支持板５１は、一方の板面側を棚板５２に向けた状態で、棚板５２の基端側の端部に固定される。支持板５１は、棚板５２の基端側の端部に固定されることで、棚５０において、棚板５２の支持構造部４０ａとともに棚支持部４０を構成する。なお、支持板５１においては、棚板５２に向く板面側を裏側、その反対の板面側を表側とする。
【００９５】
支持板５１は、略矩形板状の本体部５１ａを有する。本体部５１ａの表側の板面５１ｂが、上述のとおり棚５０が有する基端面５０ｃとなる。支持板５１の本体部５１ａの上辺部の長手方向（図２０（ａ）における左右方向）の中央部には、上述のとおり棚５０が有する係止部５０ｂをなす突片部５３が設けられている。すなわち、突片部５３は、下垂直面部５３ａ、水平面部５３ｂ、及び上垂直面部５３ｃを有し、略クランク状の断面形状をなし、本体部５１ａの上縁から上側かつ表側に突設されている。突片部５３は、支持板５１において、本体部５１ａの長手方向について全体の略１／３の寸法の範囲で、長手方向について共通の略クランク状の断面形状を有する屈曲板状の部分として設けられている。
【００９６】
支持板５１は、棚板５２に係合固定される。支持板５１は、棚板５２に係合する部分として、本体部５１ａの長手方向の両側に係合片部５４を有する。係合片部５４は、本体部５１ａの裏側の板面５１ｃから突出するように設けられており、平面視で略「Ｌ」字状をなす屈曲板状の部分である。係合片部５４は、平面視で略「Ｌ」字状をなす部分として、本体部５１ａに対して略垂直状に設けられた第１面部５４ａと、第１面部５４ａに対して長手方向の外側に略直角状に屈曲した第２面部５４ｂとを有する。第２面部５４ｂは、本体部５１ａに対して平行状の面部となる。
【００９７】
本実施形態では、係合片部５４は、板状の本体部５１ａの所定の部位を長手方向の内側の辺部のみが繋がった状態で矩形状に沿って切り抜き、その部分を裏側に突出した段差面（表側において凹んだ段差面）を形成するように屈曲させた態様で設けられている。したがって、支持板５１の正面視において、本体部５１ａには、係合片部５４を含む範囲で、矩形状に沿う開口部５１ｄが形成されている。
【００９８】
このような係合片部５４を有する支持板５１においては、支持板５１の平面視において互いに対向する本体部５１ａと第２面部５４ｂとの間の空間部分５５が、板状部分を受け入れる空間となる。つまり、本体部５１ａの係合片部５４の周囲の部分（開口部５１ｄを形成する部分）と第２面部５４ｂとにより、本体部５１ａと第２面部５４ｂとの間の間隔よりも小さい板厚の板状の部分を、挟持ないし差し込ませることができる空間部分５５が形成される。
【００９９】
また、支持板５１において、本体部５１ａの長手方向両側の下側の角部分には、略直角状の切欠部５６が設けられている。切欠部５６は、水平状の横面部５６ａと、横面部５６ａとともに直角状をなす縦面部５６ｂとを有する。切欠部５６は、後述するように棚板５２の基端側の端面に設けられた突起部分（係止突起部６６）との干渉を避けるための部分となる。
【０１００】
続いて、棚板５２の具体的構成について、図２１〜図２６を用いて説明する。図２１は棚板５２の平面図、図２２は棚板５２の底面図、図２３は棚板５２の側面図（図２１におけるＦ方向矢視図）、図２４は棚板５２の基端側の側面図（図２１におけるＧ方向矢視図）、図２５は棚板５２の基端部の部分拡大斜視図である。図２６は棚板５２の切断についての説明図である。
【０１０１】
棚板５２は、例えばＰＰ（ポリプロピレン）やＡＢＳ樹脂等の合成樹脂により成形された一体の樹脂成形体である。棚板５２には、支持板５１に固定される側の端部である基端部寄りの部位に、棚板５２の基端側（支持板５１側）の端（端面）である基端面５２ｂからの棚板５２の幅方向（図２１における左右方向）の距離を互いに異ならせて、棚板５２を支持板５１に固定するための固定構造部６０が複数設けられている。複数の固定構造部６０において隣り合う固定構造部６０の境界付近には、それぞれ切断部としてのカットライン６１が設けられている。いずれかのカットライン６１に沿って棚板５２を切断することにより、切断に使用したカットライン６１よりも基端部寄りの部位を棚板５２の本体から切除できる。
【０１０２】
すなわち、本実施形態において、棚板５２の固定構造部６０は、棚板５２を支持板５１に固定するための部分であり、上述したように棚５０において棚支持部４０を構成する支持構造部４０ａに相当する。つまり、棚板５２は、固定構造部６０によって支持板５１に固定される。そして、本実施形態では、棚支持部４０は、支持構造部４０ａとしての固定構造部６０と、固定構造部６０に固定される支持板５１とにより構成されている。
【０１０３】
このように、本実施形態の棚５０において、棚板５２の基端部寄りの部位に、支持構造部４０ａとして、固定構造部６０が、棚板５２の基端面５２ｂからの距離を互いに異ならせて所定ピッチ（等ピッチ）で複数設けられている。本実施形態では、９個の固定構造部６０が設けられている。
【０１０４】
固定構造部６０は、支持板５１とともに棚支持部４０を構成する部分であって、棚板５２の幅方向について、カットライン６１を介して繰り返し連続的にかつ一体的に複数連設されている。複数の固定構造部６０は、棚板５２の基端側において、棚５０の載置面５０ａである棚板５２の略面一の上面５２ａの一部を形成するように、つまり棚５０において一体的な棚板部分をなす棚板５２を構成するように設けられている。そして、複数の固定構造部６０の、棚板５２の基端面５２ｂからの距離は、基端面５２ｂからの棚板５２の幅方向についての距離であり、この距離は、基端側の端に位置する固定構造部６０から先端側（図２１において右側）に位置する固定構造部６０にかけて順に段階的に長くなる。
【０１０５】
複数の固定構造部６０は、どのカットライン６１によって切断されても、棚板５２の基端部の形状・寸法を共通の形状・寸法とするように設けられている。すなわち、切除する固定構造部６０の数により、棚板５２の基端部の形状・寸法が維持されながら棚板５２の幅寸法が調整される。なお、棚板５２は、その最も先端側のカットライン６１により切断されて全ての固定構造部６０が切除された状態においても、棚板５２の本体の基端側の端部の形状・寸法が維持されるように構成されている。したがって、９個の固定構造部６０を有する棚板５２は、１０段階で幅方向の寸法を調整することが可能となっている。また、隣り合う固定構造部６０間の境界部となるカットライン６１は、棚板５２の幅方向に垂直な面に沿うように設けられている。
【０１０６】
図２１に示すように、棚板５２は、その幅方向（図２１における左右方向）について、基端側の過半部分を、複数の固定構造部６０からなる切除可能部８１とし、残りの先端側の部分を、棚基部８２とする。切除可能部８１は、細長の固定構造部６０の長手方向である棚板５２の前後方向（図２１における上下方向）の中間部分を、隣り合う固定構造部６０同士、あるいは最も先端側の固定構造部６０と棚基部８２とが互いに繋がった棚連結部８３とする。また、同じく切除可能部８１は、棚板５２の前後方向の残りの両側の部分を、隣り合う固定構造部６０同士、あるいは最も先端側の固定構造部６０と棚基部８２とが互いに分離した棚分離部８４とする。棚連結部８３は、棚板５２の前後方向について全体の略１／２の寸法の範囲で設けられている。
【０１０７】
したがって、各固定構造部６０は、その長手方向の中間部を、棚連結部８３をなす連結要素部６３とし、長手方向の両側の部分を、棚分離部８４をなす分離要素部６４とする（図２１、図２４参照）。すなわち、固定構造部６０を切除する際は、連結要素部６３の部分を、先端側に隣接する固定構造部６０、あるいは棚基部８２からカットライン６１に沿って分離させることになる。また、隣り合う分離要素部６４同士の間、及び最も先端側の分離要素部６４と棚基部８２との間には、棚板５２の幅方向について所定の寸法Ｈ１の間隔が存在する（図２１参照）。
【０１０８】
固定構造部６０を構成する連結要素部６３は、棚板５２の上面５２ａの一部を形成する上面部６３ａと、固定構造部６０の長手方向の両側の側壁面部６３ｂ，６３ｂと、棚板５２の基端壁面部をなす基端側壁面部６３ｃとを有する。基端側の端に位置する固定構造部６０の基端側壁面部６３ｃの基端側の面が、基端面５２ｂの一部となる。また、連結要素部６３は、両側の側壁面部６３ｂ，６３ｂ間に、側壁面部６３ｂと平行な２つの隔壁部６３ｄを有する。
【０１０９】
連結要素部６３は、その上面部６３ａ、側壁面部６３ｂ，６３ｂ及び基端側壁面部６３ｃにより、先端側（図２２において右側）に隣接した連結要素部６３の基端側壁面部６３ｃとともに、棚板５２の前後方向に細長い下面開放の箱状の部分を形成する。そして、この箱状の空間部分が、２つの隔壁部６３ｄにより、長手方向に３分割されている。
【０１１０】
カットライン６１は、隣り合う固定構造部６０間において、上面部６３ａ、側壁面部６３ｂ，６３ｂ及び隔壁部６３ｄに沿うように設けられている。すなわち、上面部６３ａに沿うカットライン６１は、棚板５２の上面部において隣り合う固定構造部６０の上面部６３ａ間の直線状の境界線に沿うように設けられている。また、側壁面部６３ｂに沿うカットライン６１は、側壁面部６３ｂの、先端側に隣接した固定構造部６０の基端側壁面部６３ｃに繋がる辺部（先端側の辺部）に沿うように（棚板５２の板厚方向に沿って）設けられている。これと同様に、隔壁部６３ｄに沿うカットライン６１は、隔壁部６３ｄの、先端側に隣接した固定構造部６０の基端側壁面部６３ｃに繋がる辺部（先端側の辺部）に沿うように設けられている。
【０１１１】
図に示す例では、カットライン６１は、断面Ｖ字状の溝として設けられている。また、カットライン６１は、側壁面部６３ｂにおいては、棚板５２の前後方向の内側に形成されており、隔壁部６３ｄにおいては、棚板５２の前後方向の外側に形成されている。なお、カットライン６１の形状や配設部分は、本実施形態に限定されるものではない。
【０１１２】
固定構造部６０を構成する分離要素部６４は、連結要素部６３の上面部６３ａと略面一状をなして棚板５２の上面５２ａの一部を形成する上面部６４ａと、棚板５２の側面部を形成する側壁面部６４ｂと、連結要素部６３の基端側壁面部６３ｃとともに棚板５２の基端壁面部をなす基端側壁面部６４ｃと、基端側壁面部６４ｃに平行な対向壁面部６４ｄとを有する。基端側の端に位置する固定構造部６０の基端側壁面部６４ｃの基端側の面が、基端面５２ｂの一部なる。また、対向壁面部６４ｄは、基端側壁面部６４ｃと略同じ形状・寸法を有し、棚板５２の正面視（図２４参照）において基端側壁面部６４ｃと外形が重なるように設けられている。
【０１１３】
分離要素部６４は、その上面部６４ａ、側壁面部６４ｂ、基端側壁面部６４ｃ及び対向壁面部６４ｄにより、連結要素部６３の側壁面部６３ｂとともに、棚板５２の前後方向に細長い下面開放の箱状の部分を形成する。そして、分離要素部６４の、棚板５２の幅方向の寸法（基端側壁面部６４ｃ及び対向壁面部６４ｄの対向方向の寸法）が、連結要素部６３の同方向の寸法よりも短く、その分、隣り合う固定構造部６０の分離要素部６４間において、上述のとおり寸法Ｈ１の隙間が存在する。つまり、この隙間は、対向壁面部６４ｄと、先端側に隣接した固定構造部６０の基端側壁面部６４ｃとの間の隙間である。
【０１１４】
棚基部８２は、全体として下面が開放した矩形箱状に形成されている。つまり、棚基部８２は、箱状の部分を形成する面部として、上面５２ａをなす上面部８２ａと、棚板５２の前後方向両側の側面部８２ｂ，８２ｂと、基端側の壁面部８２ｃと、先端側の壁面部８２ｄとを有する。先端側の壁面部８２ｄの外側の壁面が、棚板５２の先端側の端面となる。
【０１１５】
棚基部８２の箱内には、図２２に示すように、複数の壁状のリブとして、棚板５２の前後方向に沿う横リブ８２ｅ、棚板５２の幅方向に沿う縦リブ８２ｆ、及び斜め方向に配された斜めリブ８２ｇが設けられている。これらのリブは、いずれも上面部８２ａに対して垂直に設けられた板状部分であり、底面視で交差する等して棚板５２の箱構造を補強している。ここで、縦リブ８２ｆは、連結要素部６３の側壁面部６３ｂ，６３ｂ、及び隔壁部６３ｄ，６３ｄのそれぞれに対応する位置に、基端側の壁面部８２ｃと先端側の壁面部８２ｄとの間の全体にわたって設けられている。つまり、縦リブ８２ｆは、棚板５２の幅方向に連なった複数の固定構造部６０の側壁面部６３ｂまたは隔壁部６３ｄに対して、これらの隔壁部６３ｄとともに棚板５２の幅方向に沿って略同一壁面状をなすように繋がった態様で設けられている。
【０１１６】
また、棚基部８２において、基端側の壁面部８２ｃは、固定構造部６０の基端側の壁面部と同様の壁面部である。すなわち、基端側の壁面部８２ｃは、全ての固定構造部６０が切除された状態の棚板５２において、棚板５２の基端面５２ｂをなす壁面部であり、固定構造部６０の連結要素部６３の基端側壁面部６３ｃ、及び分離要素部６４の基端側壁面部６４ｃからなる基端壁面部と同じ形状・寸法を有する。
【０１１７】
また、棚板５２は、その下面側において、棚連結部８３を構成する各固定構造部６０の連結要素部６３の配設部位を中心として、下側に張り出した膨出状の形状を有する（図１８参照）。具体的には次のとおりである。
【０１１８】
各固定構造部６０は、その長手方向について、分離要素部６４を主とする中間部分において、両側の分離要素部６４の端部側の部分よりも、棚板５２の板厚方向の寸法を下側に長くしている。ここで、図２４に示すように、固定構造部６０の長手方向の中間部分の、棚板５２の板厚方向の寸法Ｊ１は、分離要素部６４の端部側の部分の同方向の寸法Ｊ２の約２倍である。
【０１１９】
また、分離要素部６４は、その基端側壁面部６４ｃ及び対向壁面部６４ｄにおいて、棚板５２の前後方向の連結要素部６３側（内側）の部分に、同前後方向の外側から内側にかけて棚板５２の板厚方向の寸法を徐々に長くする傾斜部６４ｅを有する。また、図１８に示すように、棚基部８２の底面側に設けられた縦リブ８２ｆ及び斜めリブ８２ｇにおいて、切除可能部８１側の部分には、先端側（壁面部８２ｄ側）からの基端側（壁面部８２ｃ）にかけて棚板５２の板厚方向の寸法を徐々に長くする傾斜部８２ｈを有する。このような下側への張り出し形状により、棚板５２の補強が図られている。
【０１２０】
棚板５２には、その基端壁面部に、支持板５１が取り付けられる。そこで、各固定構造部６０における連結要素部６３の基端側壁面部６３ｃ、及び分離要素部６４の基端側壁面部６４ｃからなる基端壁面部、並びに棚基部８２の基端側の壁面部８２ｃには、支持板５１を受け入れて固定支持するための形状部分として、細長い直線状の切欠部であるスリット部６５及び係止突起部６６が設けられている。なお、以下の説明では、棚基部８２の基端側の壁面部８２ｃは固定構造部６０の基端壁面部と同一の壁面部分であるとして、壁面部８２ｃについての説明を省略する。
【０１２１】
スリット部６５は、固定構造部６０の連結要素部６３の基端側壁面部６３ｃにおいて、棚板５２の底面側（下側）を開放側としてスリット状に形成された縦長の開口部である。スリット部６５により、基端側壁面部６３ｃを介して連結要素部６３の内部と外部とが連通する。スリット部６５は、基端側壁面部６３ｃにおいてその高さ方向の過半部に形成されている。スリット部６５は、固定構造部６０の長手方向の両側の２箇所に設けられている。詳細には、各スリット部６５は、固定構造部６０の長手方向について、隔壁部６３ｄ，６３ｄの外側近傍の位置に設けられている。
【０１２２】
スリット部６５は、支持板５１の係合片部５４の第１面部５４ａを受け入れ、第２面部５４ｂと本体部５１ａとの間の空間部分５５に、基端側壁面部６３ｃを差し込ませるための部分である。このため、スリット部６５の幅寸法は、係合片部５４の第１面部５４ａの板厚寸法よりも大きい。また、空間部分５５を形成する第２面部５４ｂと本体部５１ａとの間の間隔は、空間部分５５において基端側壁面部６３ｃを挟持できるように、基端側壁面部６３ｃの板厚と略同じ大きさとなっている。
【０１２３】
係止突起部６６は、固定構造部６０の分離要素部６４の基端側壁面部６４ｃにおける基端側の壁面（最も基端側に位置する固定構造部６０における基端面５２ｂ）に設けられている。係止突起部６６は、略直方体状に突出した突起部分である。係止突起部６６は、固定構造部６０の長手方向について、スリット部６５よりも外側の位置の２箇所に設けられている。詳細には、係止突起部６６は、固定構造部６０の長手方向について分離要素部６４の連結要素部６３寄りの位置であって、基端側壁面部６４ｃの下端部に設けられている。また、係止突起部６６は、固定構造部６０の長手方向について基端側壁面部６４ｃの傾斜部６４ｅよりも内側の、棚板５２の板厚方向について寸法Ｊ１の寸法を有する部位（傾斜部６４ｅの内側の角部分の近傍の部位）に設けられている。
【０１２４】
係止突起部６６は、棚板５２に取り付けられた支持板５１の長手方向の両端部に対して下側から係止する部分となる。このため、係止突起部６６は、略水平状の上面６６ａを、支持板５１の切欠部５６の横面部５６ａに対向する係止面とする。また、係止突起部６６は、突出側の端面を、分離要素部６４の基端側壁面部６４ｃの基端側の壁面に平行な面に対して傾斜したガイド斜面６６ｂとする。ガイド斜面６６ｂは、下側から上側にかけて係止突起部６６の突出寸法を増やす向きに傾斜している。つまり、ガイド斜面６６ｂは、オーバーハング状の斜面となっている。
【０１２５】
また、固定構造部６０の連結要素部６３においては、基端側壁面部６３ｃの基端側の壁面に、複数の直線状の突条部６７が設けられている。突条部６７は、樹脂成形品である棚板５２における寸法調整用の部分である。突条部６７は、固定構造部６０の長手方向について、スリット部６５よりも外側に２本ずつ、内側に１本ずつ、計６本設けられている。なお、スリット部６５よりも外側の２本の突条部６７が設けられた部分は、上述のとおり支持板５１の本体部５１ａと第２面部５４ｂとにより挟持された部分となるため（図２８参照）、かかる部分の板厚は、突条部６７の突出量も含み、本体部５１ａと第２面部５４ｂとによる挟持作用が得られるように設定される。
【０１２６】
また、棚板５２の上面部においては、棚板５２の幅方向に沿う細長い縦溝部６８が設けられている。縦溝部６８は、棚板５２の前後方向について、連結要素部６３の両端の位置、及びスリット部６５と略同じ位置の計４箇所に設けられている。縦溝部６８は、平面視で上面部６３ａに沿うカットライン６１に直交するように、棚板５２の幅方向の全体にわたって略連続的に形成されている。
【０１２７】
以上のような構成を備えた棚板５２によれば、隣り合う固定構造部６０間の境界、あるいは隣り合う固定構造部６０と棚基部８２との間の境界のいずれかの部位をカットライン６１に沿って例えばナイフ状のカッター等の切断具を用いて切断することで（図２６、矢印Ｍ１）、スリット部６５及び係止突起部６６が設けられた壁面部分のいずれかが、支持板５１の固定が可能な基端壁面部として現れる。そして、図２６に示すように、切除する固定構造部６０の数により、固定構造部６０の幅方向の寸法Ｋ１（図示では係止突起部６６を除く）のピッチで、棚板５２の幅方向の寸法を調整することができる。寸法Ｋ１の大きさは、特に限定されるものではないが、例えば１５ｍｍ程度である。
【０１２８】
続いて、支持板５１と棚板５２の固定構造について、図２７及び図２８を用いて説明する。なお、図２８は、棚５０の本体部分（係止部５０ｂを除いた部分）の厚さ方向の中央位置の平面断面図である。
【０１２９】
図２７に示すように、支持板５１は、棚板５２の基端面５２ｂに対してスライドさせる態様で、基端壁面部に対して下側から嵌め込まれる（図２７、矢印Ｌ１参照）。支持板５１は、その長手方向の両端部において、係止突起部６６の干渉を受けながら、両側の係合片部５４をスリット部６５に差し込ませる。棚板５２に対する支持板５１の嵌合方向について、支持板５１が係止突起部６６を乗り越えることで、係止突起部６６が切欠部５６に納まり、支持板５１が棚板５２に係合固定された状態となる。
【０１３０】
ここで、支持板５１が係止突起部６６を乗り越えるまでの過程においては、支持板５１及び棚板５２の基端壁面部（主に樹脂部材である棚板５２の基端壁面部）の弾性変形をともなう。この弾性変形については、係止突起部６６のガイド斜面６６ｂによってガイド作用が得られる。
【０１３１】
支持板５１の棚板５２に対する固定状態においては、支持板５１は、本体部５１ａを基端面５２ｂに対向させるとともに、スリット部６５により係合片部５４を基端壁面部の裏側に位置させる（図２８参照）。また、支持板５１は、切欠部５６の横面部５６ａを、係止突起部６６の上面６６ａに対向ないし接触させるとともに、切欠部５６の縦面部５６ｂを、係止突起部６６の内側の側面６６ｃに対向ないし接触させた状態となる。このように、支持板５１は、本体部５１ａと係合片部５４とによる棚板５２の基端壁面部に対する挟持作用により、係止突起部６６による係止作用が得られる状態で、棚板５２に固定支持された状態となる。
【０１３２】
以上のような支持板５１と棚板５２の固定構造において、支持板５１は、棚板５２に対して嵌め殺し状態で固定される。すなわち、棚５０は、支持板５１を一旦棚板５２に固定することで、支持板５１を容易に取り外すことができないように、つまり嵌め殺しとなるように構成されている。
【０１３３】
支持板５１の嵌め殺しの構成は、例えばペンチ等の器具等を用いずには支持板５１を棚板５２から取り外すことができない構成である。支持板５１の嵌め殺しの構成は、例えば、支持板５１の板厚等による本体部５１ａの剛性、棚板５２の基端壁面部の壁厚や棚板５２の樹脂材料や固定構造部６０の構造等による基端壁面部の剛性、係止突起部６６の突出寸法等の各要素の調整により実現される。
【０１３４】
また、本実施形態に係る棚５０においては、支持板５１は、棚板５２の基端面５２ｂを覆うように設けられている。本実施形態では、支持板５１は、図１７及び図２１に示すように、棚板５２の基端面５２ｂにおいて、連結要素部６３の範囲の全体を覆うように設けられている。
【０１３５】
具体的には、支持板５１の本体部５１ａは、上下方向について、棚板５２の連結要素部６３の部分の板厚方向の寸法（図２４に示す寸法Ｊ１）と略同じ寸法を有する。また、支持板５１の本体部５１ａの長手方向の両端は、切欠部５６により、分離要素部６４の部分に設けられた係止突起部６６の位置まで達する。このように、支持板５１は、棚板５２に固定された状態において、棚５０の基端側の側面視で、本体部５１ａの外形の範囲内に、連結要素部６３の全部を含むように設けられている。
【０１３６】
したがって、棚板５２の幅調整のためにいずれかの固定構造部６０が切除された場合、棚板５２の基端面５２ｂに現れる切断面（切断跡）が、棚板５２に取り付けられた支持板５１により覆われた状態となる。図２９においてハッチング部分で示すように、棚板５２の基端面５２ｂに現れる切断跡６９は、カットライン６１が設けられた部分に沿う形状を有する。
【０１３７】
具体的には、切断跡６９は、連結要素部６３の上面部６３ａの断面形状に沿う上横辺部６９ａと、連結要素部６３の側壁面部６３ｂの断面形状に沿う外側縦辺部６９ｂと、連結要素部６３の隔壁部６３ｄの断面形状に沿う内側縦辺部６９ｄとを有する。このような切断跡６９が、棚板５２に支持板５１が固定されることで、支持板５１によって全体的に覆われた状態となる。
【０１３８】
本実施形態に係るトイレキャビネットによれば、上述したような第１実施形態に係るトイレキャビネットと共通の各構成よる作用効果に加え、次のような作用効果が得られる。
【０１３９】
まず、本実施形態に係る棚５０においては、上述したように、支持板５１、棚板５２の基端面５２ｂを覆うように設けられている。このような構成によれば、棚５０の幅調整のために棚板５２の固定構造部６０が切除された場合、棚板５２の基端面５２ｂに現れる切断跡６９を支持板５１によって覆い隠すことができる。これにより、上述したような棚板の切除可能側の端部に支持部材を固定する構造による効果を、より確実に得ることができる。
【０１４０】
すなわち、棚５０においては、棚板５２の切断跡６９が支持板５１により隠されるため、切断跡６９が露出した状態となることを防止することができる。これにより、棚板５２の切断跡６９に、布製品の織糸等が引っ掛かることを防止することができる。また、棚板５２の切断跡６９を使用者が触ることを防止することができる。また、棚板５２の切断跡６９についてのバリ取り等の表面処理を不要あるいは簡単な作業で済ますことが可能となる。
【０１４１】
また、本実施形態に係る棚５０においては、支持板５１は、棚板５２に対して嵌め殺し状態で固定されている。このような構成によれば、棚板５２が支持板５１から外れることがないため、側面板７０に対する棚５０の取付状態において、棚板５２が脱落することがなく、比較的重い物品であっても、棚５０上に安心して物品を置くことができる。つまり、本実施形態に係る棚５０によれば、棚５０の耐荷重を効率的に増大させることができ、棚５０に対する載置物についての汎用性を向上させることができる。
【０１４２】
また、本実施形態に係る棚５０は、側面板７０に対する支持構造として、係止孔７１及び係止部５０ｂによる係止構造を採用している。このような構成によれば、側面板７０に対して棚５０を安定的に支持させることが可能となり、十分な耐荷重を容易に得ることができる。
【０１４３】
［第３実施形態］
本発明に係るトイレキャビネットの第３実施形態について、図３０〜図３８を用いて説明する。なお、上述した実施形態と共通する部分については同一の符号あるいは同一の名称を用いる等して適宜説明を省略する。
【０１４４】
上述した各実施形態に係る棚おいて棚板と支持部材とが互いに別体に構成されているのに対し、本実施形態に係る棚２５０においては、棚板と支持部材とが一体の部材として構成されている。このため、棚２５０においては、その幅方向に複数連設される支持構造部２４０ａが、棚２５０の棚支持部４０となる。つまり、棚板の幅調整に際して適宜切除される支持構造部２４０ａのそれぞれにおいて、支持部材に対応する部分である支持部が設けられる。
【０１４５】
具体的には、図３０及び図３１に示すように、本実施形態に係る棚２５０は、トイレキャビネット１００の収納空間１０Ｓ内において、トイレ室Ｒの側壁に対向する側面板２７０に支持された状態で設けられる。また、本実施形態に係る棚２５０は、側面板２７０に対して、係止構造によって支持される。このため、棚２５０は、側面板２７０に対する支持側（基端側）に、上述した実施形態に係る支持部材に対応する支持部として係止片部２５１を有し、側面板２７０側には、係止片部２５１と係合する被係合部となる係止支持部２７１が設けられている。係止支持部２７１は、側面板２７０において互いに同じ高さ位置で前後２箇所に設けられるとともに、上下方向に間隔を隔てて複数の高さ位置に設けられている。互いに同じ高さ位置に設けられた２箇所の係止支持部２７１が、棚２５０の支持に用いられる。係止片部２５１を係合させる係止支持部２７１の高さ位置により、棚２５０の高さ位置が調整される。
【０１４６】
係止支持部２７１は、図３０〜図３２に示すように、上側開口のポケット状の部分である。係止支持部２７１は、係止片部２５１が差し込まれる開口である係止孔２７１ａを有する。係止支持部２７１は、係止孔２７１ａを形成する部分として、側面板２７０の外側面２７０ａに対して膨出状に形成された膨出壁部２７２を有する。膨出壁部２７２の上端面は、水平面状の支持面２７２ａとなり、この支持面２７２ａに開口するように、係止孔２７１ａが形成されている。膨出壁部２７２は、略上半部を上下方向に沿う鉛直状の壁面部とし、残りの略下半部を下窄まり状の傾斜壁面部とする。膨出壁部２７２の鉛直状の壁面部により形成された係止支持部２７１の部分に、係止片部２５１が挿入される（図３１参照）。なお、図３２（ａ）は側面板２７０の一部斜視図、図３２（ｂ）は側面板２７０の平面断面図である。
【０１４７】
係止孔２７１ａは、上面視において、膨出壁部２７２の内周面２７２ｂと側面板２７０の外側面２７０ａとにより、前後方向を長手方向とする細長い孔形状であって、側面板２７０の内側（図３２（ｂ）における上側）から外側（同下側）にかけて徐々に前後方向（図３２（ｂ）における左右方向）の寸法を小さくする略台形状をなすように形成されている。膨出壁部２７２は、平面状の部材である側面板２７０においてその一部を内側から凹ませて外側に膨出させることで形成されている。つまり、膨出壁部２７２は、側面板２７０の一部が凹状に打ち抜かれた態様で形成されている。したがって、側面板２７０の外側において開口する係止孔２７１ａは、側面板２７０の内側に連通している。棚２５０は、係止片部２５１を係止孔２７１ａに差し込むことで側面板２７０に係合し、水平状態で支持された状態となる。
【０１４８】
このような棚２５０の支持構成において、棚２５０の側面板２７０に対する支持側の端部寄りの部位には、棚２５０を側面板２７０に支持するための棚支持部４０を構成する支持構造部２４０ａが、棚２５０の支持側の端からの距離を互いに異ならせて複数設けられている。複数の支持構造部２４０ａは、棚２５０の基端側において、棚２５０が有する略面一の載置面２５０ａの一部を形成するように、つまり棚２５０における一体的な棚板部分を構成するように設けられている。
【０１４９】
棚２５０は、各支持構造部２４０ａにおいて、側面板２７０に対する係止部分である係止片部２５１を有する。棚２５０は、全体として、平面視で幅方向に直交する方向である前後方向（図３５における上下方向）について対称に構成されている。棚２５０は、側面板２７０に着脱自在に取り付けられる。
【０１５０】
棚２５０は、例えばＰＰ（ポリプロピレン）やＡＢＳ樹脂等の合成樹脂により成形された一体の樹脂成形体である。棚２５０には、基端部寄りの部位に、基端面２５０ｃからの幅方向（図３７における左右方向）の距離を互いに異ならせて、棚２５０を側面板２７０に固定するための支持構造部２４０ａが所定ピッチ（等ピッチ）で複数設けられている。本実施形態では、１３個の支持構造部２４０ａが設けられている。
【０１５１】
複数の支持構造部２４０ａにおいて隣り合う支持構造部２４０ａの境界付近には、それぞれ切断部としてのカットライン２６１が設けられている。カットライン２６１は、棚２５０の幅方向に垂直な面に沿うように設けられている。いずれかのカットライン２６１に沿って棚２５０を切断することにより、切断に使用したカットライン２６１よりも基端部寄りの部位を棚２５０の本体から切除できる。
【０１５２】
複数の支持構造部２４０ａは、どのカットライン２６１によって切断されても、棚２５０の基端部の形状・寸法を共通の形状・寸法とするように設けられている。また、棚２５０は、その最も先端側のカットライン２６１により切断されて全ての支持構造部２４０ａが切除された状態においても、棚２５０の本体の基端側の端部の形状・寸法が維持されるように構成されている。したがって、１３個の支持構造部２４０ａを有する棚２５０は、１４段階で幅方向の寸法を調整することが可能となっている。
【０１５３】
図３４に示すように、棚２５０は、全体として、矩形板状の外形に沿う形状を有するとともに、下面が開放した矩形箱状に形成されている。つまり、棚２５０は、箱状の部分を形成する面部として、載置面２５０ａをなす上面部と、前後方向両側の側面部と、基端側の壁面部と、先端側の壁面部とを有する。棚２５０は、その幅方向について、基端側の過半部分を、複数の支持構造部２４０ａからなる切除可能部２８１とし、残りの先端側の部分を、棚基部２８２とする（図３５参照）。
【０１５４】
支持構造部２４０ａは、棚２５０の上面部の一部を形成する上面部２４２ａと、棚２５０の側面部の一部を形成する、支持構造部２４０ａの長手方向の両側の側壁面部２４２ｂ，２４２ｂと、棚２５０の基端側の壁面部をなす基端側壁面部２４２ｃとを有する。基端側の端に位置する支持構造部２４０ａの基端側壁面部２４２ｃの基端側の面が、基端面２５０ｃとなる。また、支持構造部２４０ａは、両側の側壁面部２４２ｂ，２４２ｂ間に、側壁面部２４２ｂと平行な４つの隔壁部２４２ｄを有する。
【０１５５】
支持構造部２４０ａは、その上面部２４２ａ、側壁面部２４２ｂ，２４２ｂ及び基端側壁面部２４２ｃにより、先端側（図３６において右側）に隣接した支持構造部２４０ａの基端側壁面部２４２ｃとともに、棚２５０の前後方向に細長い下面開放の箱状の部分を形成する。そして、この箱状の空間部分が、４つの隔壁部２４２ｄにより、長手方向に略１：２：１の割合で５分割されている。
【０１５６】
カットライン２６１は、隣り合う支持構造部２４０ａ間において、上面部２４２ａ及び側壁面部２４２ｂ，２４２ｂに沿うように設けられている。カットライン２６１は、断面Ｖ字状の溝として設けられている。また、カットライン２６１は、例えば各壁面部の表裏両側に設けられる。なお、カットライン２６１の形状や配設部分は特に限定されるものではない。
【０１５７】
棚基部２８２は、全体として下面が開放した矩形箱状に形成されている。つまり、棚基部２８２は、箱状の部分を形成する面部として、載置面２５０ａをなす上面部２８２ａと、前後方向両側の側面部２８２ｂ，２８２ｂと、基端側の壁面部２８２ｃと、先端側の壁面部２８２ｄとを有する。
【０１５８】
棚基部８２の箱内には、図３６に示すように、複数の壁状のリブとして、棚２５０の幅方向に沿う縦リブ２８２ｆが複数設けられている。これらのリブは、いずれも上面部２８２ａに対して垂直に設けられた板状部分であり、棚２５０の箱構造を補強している。ここで、縦リブ２８２ｆは、支持構造部２４０ａの隔壁部２４２ｄのそれぞれに対応する位置に、基端側の壁面部２８２ｃと先端側の壁面部２８２ｄとの間の全体にわたって設けられている。つまり、縦リブ２８２ｆは、棚２５０の幅方向に連なった複数の支持構造部２４０ａの隔壁部２４２ｄに対して、これらの隔壁部２４２ｄとともに棚２５０の幅方向に沿って略同一壁面状をなすように繋がった態様で設けられている。
【０１５９】
また、棚基部２８２において、基端側の壁面部２８２ｃは、支持構造部２４０ａの基端側の壁面部と同様の壁面部である。すなわち、基端側の壁面部２８２ｃは、全ての支持構造部２４０ａが切除された状態の棚２５０において、棚２５０の基端面２５０ｃをなす壁面部であり、支持構造部２４０ａの基端側壁面部２４２ｃと同じ形状・寸法を有する。
【０１６０】
支持構造部２４０ａにおいては、その基端側壁面部２４２ｃに、係止片部２５１が設けられている。係止片部２５１は、基端側壁面部２４２ｃにおいて、前後方向に所定の間隔を隔てて形成された切欠凹部２４２ｇ間の部分として設けられている。切欠凹部２４２ｇは、棚２５０の底面側（下側）を開放側として矩形状に形成された縦長の凹部である。隣り合う２箇所の切欠凹部２４２ｇにより、基端側壁面部２４２ｃの一部として、下側に突出した態様の矩形板状の片部である係止片部２５１が形成されている。切欠凹部２４２ｇにより、基端側壁面部２４２ｃを介して支持構造部２４０ａの内部と外部とが連通する。係止片部２５１は、基端側壁面部２４２ｃにおいてその高さ方向の略半分に形成されている。
【０１６１】
係止片部２５１は、支持構造部２４０ａの長手方向の両側それぞれにおいて３箇所ずつ計６箇所に設けられている。したがって、切欠凹部２４２ｇは、基端側壁面部２４２ｃにおいて１２箇所に形成されている。支持構造部２４０ａの長手方向の片側の３箇所の係止片部２５１について、最も外側の係止片部２５１は、側壁面部２４２ｂと、側壁面部２４２ｂに対向する隔壁部２４２ｄとの間の位置に設けられている。また、同３箇所の係止片部２５１のうち真ん中の係止片部２５１は、互いに対向する隔壁部２４２ｄ，２４２ｄ間に設けられている。また、同３箇所の係止片部２５１のうち最も内側の係止片部２５１は、内側の隔壁部２４２ｄの内側の位置に設けられている。なお、棚基部２８２の基端側の壁面部２８２ｃは、支持構造部２４０ａの基端側壁面部２４２ｃと同一の壁面部分であり、基端側壁面部２４２ｃと同様に６つの係止片部２５１を有する。
【０１６２】
また、棚２５０の上面部においては、棚２５０の幅方向に沿う細長い縦溝部２６８が設けられている。縦溝部２６８は、棚２５０の前後方向について、４箇所の縦リブ２８２ｆと略同じ位置の４箇所に設けられている。縦溝部２６８は、平面視で上面部２８２ａに沿うカットライン２６１に直交するように、棚２５０の幅方向の全体にわたって形成されている。
【０１６３】
以上のような構成を備えた棚２５０によれば、側面板２７０の各係止支持部２７１に対応する係止片部２５１を、係止支持部２７１の係止孔２７１ａに対して上側から差し込むことで、棚２５０が側面板２７０に係合して取り付けられた状態となる。ここで、係止孔２７１ａを形成する膨出壁部２７２は、係止片部２５１の両側の切欠凹部２４２ｇに受け入れられる。
【０１６４】
棚２５０の取付状態においては、係止片部２５１が、膨出壁部２７２内に位置するとともに、膨出壁部２７２の上端面である支持面２７２ａに、係止片部２５１の両側の切欠凹部２４２ｇの底端面２４２ｈが接触した状態となる。また、係止片部２５１を形成する基端側壁面部２４２ｃの基端面２５０ｃは、側面板２７０の外側面２７０ａに接触した状態となる。つまり、係止支持部２７１は、係止孔２７１ａの開口形状・寸法等について、係止片部２５１の板厚等との関係において、係止片部２５１により基端側壁面部２４２ｃをしっかりと係合させ、棚２５０が側面板２７０に対して堅実に固定されるように構成されている。なお、棚２５０の取付状態において、係止片部２５１は、側面板２７０の内側面２７０ｂ側に露出した状態となる。
【０１６５】
本実施形態において、係止片部２５１及び係止支持部２７１の形状等、棚２５０の側面板２７０に対する係止構造における各部の形状は、本実施形態に限定されるものではなく、係止作用が得られる適宜の形状を採用することができる。また、側面板２７０に対する棚２５０の取付構成としては、磁力を用いた構成であってもよい。また、側面板２７０としては、例えばプレス加工等により複数の係止支持部２７１等の所定の形状部分を容易に形成することができことから、鋼板等の金属板が好適に用いられる。
【０１６６】
また、本実施形態では、棚２５０の側面板２７０に対する支持に関し、棚２５０の前後方向の両側のそれぞれにおいて３箇所の係止片部２５１のうち中央の係止片部２５１が用いられ、計２箇所で棚２５０が支持されているが、これに限定されず、他の係止片部２５１が用いられてもよい。また、棚２５０は、３箇所以上の係止片部２５１により側面板２７０に支持されてもよい。棚２５０の側面板２７０に対する支持には、例えば、側面板２７０におけるスペース上の制約等により、少なくとも２つの係止片部２５１が適宜採用される。すなわち、側面板２７０において、係止片部２５１を受け入れる係止支持部２７１は、少なくとも同じ高さ位置に２箇所に設けられればよく、また、棚２５０において、係止片部２５１は、例えば少なくとも棚２５０の前後方向の両側の２箇所に設けられればよい。さらに、棚２５０における係止片部２５１の大きさ等によっては、係止片部２５１による支持部分は、例えば棚２５０の前後方向の中央部の１箇所に設けられてもよい。
【０１６７】
本実施形態に係るトイレキャビネットによれば、上述したような実施形態に係るトイレキャビネットと共通の各構成よる作用効果に加え、次のような作用効果が得られる。すなわち、本実施形態に係る棚２５０においては、側面板２７０に対する係止部分が、棚板の各支持構造部２４０ａにおいて一体の部分として設けられており、棚２５０が支持部材に対応する部分及び棚板に対応する部分の各部を有する一体の棚部材として構成されている。このような構成により、棚２５０の構成部品を少なくすることができ、棚２５０の構造の簡略化を図ることができる。また、側面板２７０に対する棚２５０の取付作業について、一体の棚２５０を側面板２７０に係止支持させるだけでよいので、作業性の向上を図ることができる。
【０１６８】
なお、本発明は、上述した実施形態に限られず、上述した実施形態の中で開示した各構成を相互に置換したり組み合わせを変更したりした構成や、公知技術並びに上述した実施形態の中で開示した各構成を相互に置換したり組み合わせを変更したりした構成等も含む。また、本発明の技術的範囲は上述した実施形態に限定されず、特許請求の範囲に記載された事項とその均等物まで及ぶものである。
【符号の説明】
【０１６９】
１０…内部空間、１０Ｓ…収納空間、１０Ｌ…左内部空間、１０Ｒ…右内部空間、１１…左壁、１２…右壁、１３…下壁、１４…上壁、１５…前壁、２０Ｌ…側面板、２０Ｒ…側面板、２１…天面板、２２…前面板、２３…右扉、２４…左扉、３０…棚、３１，３１ａ，３１ｂ…支持部材、３１１…壁部、３１２…台部、３１３…係止部、３１４…補強リブ、３１５…対向面、３１６…磁石、３１７…緩衝材、３２…棚板、３２１…凹部（支持構造部、固定構造部）、３２２…下面、３２３…基端面、３２４…カットライン、３２５〜３３１…横リブ、３３２，３３３…縦リブ、３３４…壁面部、４０…棚支持部、４０ａ…支持構造部、４１〜４７…凹条、４８…切欠部、４９…切欠部、１００…トイレキャビネット、ＢＷ…後壁、ＦＬ…床、ＬＷ…左側壁、Ｍ…便器本体、Ｒ…トイレ室、ＲＷ…右側壁、５０…棚、５０ｂ…係止部、５１…支持板（支持部材）、５１ａ…本体部、５２…棚板、５２ｂ…基端面、５４…係合片部、６０…固定構造部、６５…スリット部、６６…係止突起部、７０…側面板、７１…係止孔、支持構造部…２４０ａ、２５０…棚、２５１…係止片部、２６１…カットライン、２７０…側面板、２７１…係止支持部
【図１】
0006776836.tif 000002
【図２】
0006776836.tif 000003
【図３】
0006776836.tif 000004
【図４】
0006776836.tif 000005
【図５】
0006776836.tif 000006
【図６】
0006776836.tif 000007
【図７】
0006776836.tif 000008
【図８】
0006776836.tif 000009
【図９】
0006776836.tif 000010
【図１０】
0006776836.tif 000011
【図１１】
0006776836.tif 000012
【図１２】
0006776836.tif 000013
【図１３】
0006776836.tif 000014
【図１４】
0006776836.tif 000015
【図１５】
0006776836.tif 000016
【図１６】
0006776836.tif 000017
【図１７】
0006776836.tif 000018
【図１８】
0006776836.tif 000019
【図１９】
0006776836.tif 000020
【図２０】
0006776836.tif 000021
【図２１】
0006776836.tif 000022
【図２２】
0006776836.tif 000023
【図２３】
0006776836.tif 000024
【図２４】
0006776836.tif 000025
【図２５】
0006776836.tif 000026
【図２６】
0006776836.tif 000027
【図２７】
0006776836.tif 000028
【図２８】
0006776836.tif 000029
【図２９】
0006776836.tif 000030
【図３０】
0006776836.tif 000031
【図３１】
0006776836.tif 000032
【図３２】
0006776836.tif 000033
【図３３】
0006776836.tif 000034
【図３４】
0006776836.tif 000035
【図３５】
0006776836.tif 000036
【図３６】
0006776836.tif 000037
【図３７】
0006776836.tif 000038
【図３８】
0006776836.tif 000039